(57)【要約】【課題】  リモートコントロール装置を備えた印刷装置の使用勝手を高める。【解決手段】  複数のボタンが配置されたリモートコントロール装置からの操作を受け付ける印刷装置であって、表示装置と接続する接続手段と、リモートコントロール装置の第１のボタンが押されると、印刷装置における消耗品の残量を前記表示装置に表示する消耗品残量表示手段とを備えることを特徴とする印刷装置。【選択図】  図４
2005138347.tif 000002
【特許請求の範囲】
【請求項１】
複数のボタンが配置されたリモートコントロール装置からの操作を受け付ける印刷装置であって、
表示装置と接続する接続手段と、
リモートコントロール装置の第１のボタンが押されると、印刷装置における消耗品の残量を前記表示装置に表示する消耗品残量表示手段とを備えることを特徴とする印刷装置。
【請求項２】
請求項１に記載の印刷装置において、
前記消耗品残量表示手段は、前記リモートコントロール装置の第１のボタンが押されている間だけ印刷装置における消耗品の残量を前記表示装置に表示することを特徴とする印刷装置。
【請求項３】
請求項１に記載の印刷装置において、
仮名漢字変換を含む日本語処理を行なう日本語処理手段をさらに備え、
日本語処理手段が日本語処理を行なっている際に、前記リモートコントロール装置の第１のボタンが押された場合には、前記消耗品残量表示手段は消耗品の残量を前記表示装置に表示しないことを特徴とする印刷装置。
【請求項４】
請求項３に記載の印刷装置において、
日本語処理手段が日本語処理を行なっている際に、前記リモートコントロール装置の第１のボタンが押された場合に、前記日本語処理手段は仮名の無変換処理を行なうことを特徴とする印刷装置。
【請求項５】
請求項４に記載の印刷装置において、
前記リモートコントロール装置には、前記第１のボタンに加え、仮名の漢字変換処理を行なうためのボタン、スペースを入力するためのボタン、および文字を消去するためのボタンとが設けられ、これらのボタンが一列に配置されていることを特徴とする印刷装置。
【請求項６】
複数のボタンが配置されたリモートコントロール装置からの操作を受け付ける印刷装置であって、
表示装置と接続する接続手段と、
１または複数の画像データを読み込んで、上記表示装置に表示する画像表示手段とを備え、
前記画像表示手段は、
複数（第１の画像数）の画像を表示している状態で、前記リモートコントロール装置の第２のボタンが押されると、
前記第１の画像数より少ない複数（第２の画像数）の画像の表示から１つの画像の全面表示、１つの画像の拡大表示へと段階的に表示内容を変化させることを特徴とする印刷装置。
【請求項７】
複数のボタンが配置されたリモートコントロール装置からの操作を受け付ける印刷装置であって、
表示装置と接続する接続手段と、
１または複数の画像データを読み込んで、上記表示装置に表示する画像表示手段とを備え、
前記画像表示手段は、
１つの画像を拡大表示をしている状態で、前記リモートコントロール装置の第３のボタンが押されると、
前記拡大表示より拡大率の低い１つの画像の拡大表示から１つの画像の全面表示、複数（第２の画像数）の画像の表示、前記第２の画像数より多い複数（第１の画像数）の画像の表示へと段階的に表示内容を変化させることを特徴とする印刷装置。
【請求項８】
請求項６または７に記載の印刷装置において、
前記第１の画像数は２５であり、前記第２の画像数は９であることを特徴とする印刷装置。
【請求項９】
請求項６〜８のいずれか一項に記載の印刷装置において、
表示されている画像のいずれかを選択する選択手段をさらに備え、
前記画像表示手段は、
１つの画像が選択されている状態で、前記リモートコントロール装置の第４のボタンが押されると、その画像に印刷対象となっていることを示すアイコンを付して表示することを特徴とする印刷装置。
【請求項１０】
請求項９に記載の印刷装置において、
前記画像表示手段が表示する前記アイコンには、印刷枚数の表示が含まれ、
表示する印刷枚数は、前記リモートコントロール装置の第４のボタンが押された回数に応じることを特徴とする印刷装置。
【請求項１１】
請求項９または１０に記載の印刷装置において、
前記画像表示手段は、
前記アイコンを印刷枚数が１枚以上の画像に付して表示することを特徴とする印刷装置。
【請求項１２】
請求項１〜１１のいずれか一項に記載の印刷装置において、
上下左右の方向を指示する方向ボタンを含む複数のボタンが配置された操作パネルをさらに備え、
前記リモートコントロール装置には、前記操作パネルに配置された方向ボタンと同じ位置関係で上下左右の方向を指示する方向ボタンが配置されていることを特徴とする印刷装置。
【請求項１３】
複数のボタンが配置されたリモートコントロール装置と、前記リモートコンロール装置からの操作を受け付ける印刷装置と、表示装置とを備えた印刷システムにおいて、
前記リモートコントロール装置の第１のボタンが押されると、前記印刷装置における消耗品の残量を前記表示装置に表示する消耗品残量表示手段を備えることを特徴とする印刷システム。
【請求項１４】
複数のボタンが配置されたリモートコントロール装置と、前記リモートコンロール装置からの操作を受け付ける印刷装置と、表示装置とを備えた印刷システムにおいて、
１または複数の画像データを読み込んで、上記表示装置に表示する画像表示手段であって、
複数（第１の画像数）の画像を表示している状態で、前記リモートコントロール装置の第２のボタンが押されると、
前記第１の画像数より少ない複数（第２の画像数）の画像の表示から１つの画像の全面表示、１つの画像の拡大表示へと段階的に表示内容を変化させる画像表示手段を備えることを特徴とする印刷システム。
【請求項１５】
複数のボタンが配置されたリモートコントロール装置と、前記リモートコンロール装置からの操作を受け付ける印刷装置と、表示装置とを備えた印刷システムにおいて、
１または複数の画像データを読み込んで、上記表示装置に表示する画像表示手段であって、
１つの画像を拡大表示をしている状態で、前記リモートコントロール装置の第３のボタンが押されると、
前記拡大表示より拡大率の低い１つの画像の拡大表示から１つの画像の全面表示、複数（第２の画像数）の画像の表示、前記第２の画像数より多い複数（第１の画像数）の画像の表示へと段階的に表示内容を変化させる画像表示手段を備えることを特徴とする印刷システム。
【発明の詳細な説明】
【技術分野】
【０００１】
本発明は、印刷装置に係り、特に、リモートコントロール装置により操作可能な印刷装置に関する。
【背景技術】
【０００２】
従来、印刷装置、特に個人向のプリンタは、パーソナルコンピュータに接続され、パーソナルコンピュータから送られる印刷データに基づいて印刷を行なう使われ方が主流であった。このような使用形態では、プリンタで印刷する画像はパーソナルコンピュータのモニタ画面に表示して閲覧、編集等を行なっていた。
【０００３】
この場合、画像の一覧を表示させたり印刷する画像を選択する操作、あるいは、画像を編集する操作等はパーソナルコンピュータ上で行なうことができるため、プリンタに対する操作はそれほど多くはなかった。
【発明の開示】
【発明が解決しようとする課題】
【０００４】
近年、デジタルカメラが広く普及し、デジタルカメラで撮影した画像をプリンタで印刷する機会が増えてきた。このような印刷を簡便に行なうため、デジタルカメラの記録媒体であるメモリカード等の読み込み装置を備えさせ、パーソナルコンピュータを介さずに、メモリカード等から直接画像を読み込んで印刷することができるいわゆるパソコンレスのプリンタが実用化されている。
【０００５】
パーソナルコンピュータを接続しないで使用されるプリンタでは、画像の一覧を表示したり、印刷する画像を選択する操作、あるいは、画像を編集する操作等はプリンタ上で行なわれることになる。このため、プリンタに対する操作が頻繁に行なわれる。
【０００６】
このような場合、プリンタを遠隔的に操作することができれば便利である。一般に、機器を遠隔的に操作する場合には、ハンディタイプのリモートコントロール装置が広く用いられているが、これは、例えば、テレビ受信装置のチャンネルを変えたり、音量を調整するのに適するように設計されており、プリンタの操作性を考慮したものではない。このため、従来のリモートコントロール装置の技術をプリンタのリモートコントロール装置に転用したとしても、必ずしも使い勝手のよいリモートコントロール装置が提供できるとは限らない。
【０００７】
本発明は、遠隔操作するためのリモートコントロール装置を備えた印刷装置の使用勝手を高めることを目的とする。
【課題を解決するための手段】
【０００８】
上記課題を解決するため本発明の第１の態様によれば、
複数のボタンが配置されたリモートコントロール装置からの操作を受け付ける印刷装置であって、
表示装置と接続する接続手段と、
リモートコントロール装置の第１のボタンが押されると、印刷装置における消耗品の残量を前記表示装置に表示する消耗品残量表示手段とを備えることを特徴とする印刷装置が提供される。
【０００９】
消耗品の残量としては、例えば、インクカートリッジのインク残量とすることができる。消耗品の残量はユーザにとって重要な情報であるため、リモコン装置のボタン操作により簡易に呼び出せるようにしている。
【００１０】
また、上記課題を解決するため本発明の第２の態様によれば、
複数のボタンが配置されたリモートコントロール装置からの操作を受け付ける印刷装置であって、
表示装置と接続する接続手段と、
１または複数の画像データを読み込んで、上記表示装置に表示する画像表示手段とを備え、
前記画像表示手段は、
複数（第１の画像数）の画像を表示している状態で、前記リモートコントロール装置の第２のボタンが押されると、
前記第１の画像数より少ない複数（第２の画像数）の画像の表示から１つの画像の全面表示、１つの画像の拡大表示へと段階的に表示内容を変化させることを特徴とする印刷装置、および、
複数のボタンが配置されたリモートコントロール装置からの操作を受け付ける印刷装置であって、
表示装置と接続する接続手段と、
１または複数の画像データを読み込んで、上記表示装置に表示する画像表示手段とを備え、
前記画像表示手段は、
１つの画像を拡大表示をしている状態で、前記リモートコントロール装置の第３のボタンが押されると、
前記拡大表示より拡大率の低い１つの画像の拡大表示から１つの画像の全面表示、複数（第２の画像数）の画像の表示、前記第２の画像数より多い複数（第１の画像数）の画像の表示へと段階的に表示内容を変化させることを特徴とする印刷装置が提供される。
【００１１】
この場合、表示されている画像のいずれかを選択する選択手段をさらに備え、
前記画像表示手段は、
１つの画像を選択をしている状態で、前記リモートコントロール装置の第４のボタンが押されると、その画像に印刷対象となっていることを示すアイコンを付して表示することが望ましい。
【発明を実施するための最良の形態】
【００１２】
本発明の実施の形態について図面を参照して説明する。
【００１３】
図１は、本発明を適用した印刷装置１の正面外観を示す図である。本実施例において、印刷装置１は、インクジェット方式の印刷機構を備えており、ホストコンピュータ、メモリカード等に記録された画像データに基づく印刷を行なうことができる。また、印刷装置１はテレビ受信装置に接続することができ、メモリカードに記録された画像をテレビ受信装置に表示させたり、印刷対象の画像を選択したり、画像に対する加工等が行なえるようになっている。
【００１４】
印刷装置１は、メモリカード等に記録された画像データに基づく印刷を行なう際には、ホストコンピュータに接続する必要はなく、いわゆるパソコンレスの印刷装置として機能するようになっている。このための印刷装置１に対する各種操作は、本体に設けられた操作パネルに加え、リモートコントロール装置２（リモコン装置、図５参照）から行なえるようになっている。
【００１５】
印刷装置１は、該直方体の形状をしており、正面からは本図に示すように該長方形に見える。この形状は、例えば、一般的なビデオデッキ装置、ＤＶＤプレーヤ、ケーブルテレビ受信装置等に類似しており、本発明を適用した印刷装置１は、いわゆる、セットトップボックス的な性質を備えている。
【００１６】
印刷装置１の正面には、待機状態で閉じている開閉蓋１１、開閉蓋１２および開口機構１３が配置されている。また、コンピュータ等の他の電子情報機器と接続するためのケーブルを差し込むコネクタ１４、付属するリモコン装置２からの信号を受信する受信部１５が配置されている。コネクタ１４は、代表的には、ＵＳＢコネクタとすることができ、受信部１５は、例えば、赤外線受光器とすることができる。
【００１７】
図２は、開閉蓋１１、開閉蓋１２を開けて、開口機構１３を開いた状態の印刷装置１の正面外観を示す図である。開閉蓋１１、開閉蓋１２は、下部において印刷装置本体と連結しており、前に倒れるようにして蓋が開くようになっている。開口機構１３は、大きく上下２つの部分に分割され、上の部分は上部で印刷装置本体と連結され、上方に跳ね上がるように開き、下の部分は下部で印刷装置本体と連結され、前に倒れるようにして開いて開口機構１３が大きく開口するようになっている。
【００１８】
印刷装置本体の開閉蓋１１に覆われていた部分には、メモリカードの挿入口１８が設けられている。挿入口１８は複数の規格のメモリカードに対応するよう複数設けられている。
【００１９】
印刷装置本体の開閉蓋１２に覆われていた部分には、操作パネル１６とインクカートリッジの表示灯１７とが設けられている。
【００２０】
インクカートリッジの表示灯１７は、印刷装置１に備えられるインクカートリッジのインク色に対応しており、例えば、インク残量が少なくなると点滅してユーザにインクカートリッジの交換を促すようになっている。本実施例においては、印刷装置１は６色のインクを用いて印刷を行なうため、６個の表示灯が設けられている。
【００２１】
操作パネル１６は、複数の操作ボタンから構成され、ユーザからの指示を受け付ける。図３は、操作パネル１６の外観を示す図である。本図に示すように操作パネル１６のほぼ中央部に、使用頻度の高い上下左右のカーソルボタンとＯＫボタン１６ｅとが配置されている。カーソルボタンは、ＯＫボタン１６ｅを中心に、上下左右の位置に、それぞれ上方向ボタン１６ａ、下方向ボタン１６ｃ、左方向ボタン１６ｄ、右方向ボタン１６ｂが配置されている。その他にも、印刷開始ボタン、印刷中止ボタン、クリーニングボタン等が配置されている。
【００２２】
印刷装置本体の開口機構１３が開くと、印刷装置１の印刷機構が現われる。特に正面部には印刷機構のうちの排紙口が配置され、開口機構１３の下の部分は開口時に排紙トレイとして機能するようになっている。
【００２３】
図４は、印刷装置１の機能構成の一例を示すブロック図である。本図に示すように印刷装置１は、インタフェース部１１０、制御部１２０、印刷機構部１３０を備えている。
【００２４】
インタフェース部１１０は、ホストコンピュータ、各種メモリカード、テレビ受信装置等の表示装置、リモコン装置２との間の通信を制御する。具体的には、ホストコンピュータとの間においては印刷データを受信したり、ホストコンピュータに格納されている画像データアクセスしたりする。メモリカードとの間においては、記録されている画像データを読み出したり、書き込んだりする。また、テレビ受信装置等の表示装置に対しては、読み込んだ画像を表示したり、各種メニューを表示したりする。リモコン装置２からは信号を受信する。
【００２５】
制御部１２０は、印刷装置１における各種処理の制御を行なう。このため、制御部１２０は、印刷処理部１２０ａ、表示処理部１２０ｂ、画像処理部１２０ｃ、日本語処理部１２０ｄを備えている。
【００２６】
印刷処理部１２０ａは、ホストコンピュータから送信された印刷データ、メモリカード等に格納された画像データに基づく印刷を印刷装置１で行なうための処理をおこなう。具体的には、印刷データあるいは画像データを印刷機構部１３０が解釈可能なデータに変換し、このデータに基づいて印刷機構部１３０に印字処理を実行させる。
【００２７】
表示処理部１２０ｂは、メモリカード等に記録されている画像データをテレビ受信装置等の表示装置に表示されるための処理を行なう。このとき、ユーザからの指示に基づいて複数の画像を表示したり、画像の拡大縮小処理も行なう。また、表示装置の画面に表示するためのメニュー画面その他の画面も生成する。
【００２８】
画像処理部１２０ｃは、ユーザからの指示に基づいて画像データを加工したり、画像に文字等を付加する処理を行なう。
【００２９】
日本語処理部１２０ｄは、ユーザからの指示に基づいて、日本語の仮名漢字変換処理その他の日本語の処理を行なう。
【００３０】
印刷機構部１３０は、印字機構、給排紙機構を備え、印刷装置１における実際の印字処理を行なう。本実施例において、印刷機構部１３０は、インクジェット方式の印字機構を備えている。インクジェット方式の印字機構は、インクを充填したインクカートリッジを複数個備え、インクカートリッジから供給されるインクを印刷ヘッドから記録用紙等の印刷媒体に吹き付けて印刷を行なう。
【００３１】
印刷装置１は、本体に操作パネル１６を備えているが、印刷装置１はセットトップボックスとしての性質を備えている関係上、印刷装置１に対するほとんどの指示はリモコン装置２から簡易な操作で行なうことができるようになっている。
【００３２】
図５は、印刷装置１に付属するリモコン装置２の外観を示す図である。
【００３３】
本図に示すようにリモコン装置２には、主なボタンとして、電源ボタン２１、画面表示ボタン２２、拡大ボタン２３ａ、縮小ボタン２３ｂ、メニューボタン２４ａ、戻るボタン２４ｂ、カーソルボタン２５ａ〜２５ｄ、ＯＫボタン２５ｅ、枚数増ボタン２６ａ、枚数減ボタン２６ｂ、印刷開始ボタン２７ａ、印刷中止ボタン２７ｂ、インク残量／無変換ボタン２８ａ、変換ボタン２８ｂ、スペースボタン２８ｃ、消去ボタン２８ｄが配置されている。その他にもスライドショーボタン、回転ボタン、切替ボタン等が配置されている。
【００３４】
これらのリモコン装置２に配置されているボタンのうち、使用頻度の高い上下左右のカーソルボタン２５ａ〜２５ｄとＯＫボタン２５ｅとは、リモコン装置のほぼ中央部に配置されている。そして、カーソルボタン２５ａ〜２５ｄおよびＯＫボタン２５ｅのそれぞれは、印刷装置本体の操作パネル１６上におけるカーソルボタン１６ａ〜１６ｄおよびＯＫボタン１６ｅの位置関係と同様の位置関係で配置されている。すなわち、ＯＫボタン２５ｅを中心に、上下左右の位置に、それぞれ上方向ボタン２５ａ、下方向ボタン２５ｃ、左方向ボタン２５ｄ、右方向ボタン２５ｂが配置されている。
【００３５】
このように、本実施例では、使用頻度が高く、同じ機能を有するボタン群の配置を印刷装置本体とリモコン装置２とで同じくすることで、どちらから操作する場合にも共通の操作が可能となり、印刷装置１の使用勝手を高めるようにしている。
【００３６】
リモコン装置２に配置されているボタンのうち、拡大ボタン２３ａ、縮小ボタン２３ｂは、テレビ受信装置に表示させる画像の数を変更させるためのボタンである。本実施例の例では、縮小ボタン２３ｂにより、最も画像を縮小した場合には、図６（ａ）に示すようにテレビ受信装置の画面に２５枚の画像を表示させることができる。なお、これらの画像データは、例えば、あらかじめメモリカードに格納されているものとする。ただし、印刷装置１の内部または外部に補助記憶装置を備えさせ、補助記憶装置に格納した画像データを表示するようにしてもよい。
【００３７】
この状態から拡大ボタン２３ａが押されると、印刷装置１は、図６（ｂ）に示すようにテレビ受信装置の画面に９枚の画像を表示する。さらに拡大ボタン２３ａが押されると、印刷装置１は、図６（ｃ）に示すようにテレビ受信装置の画面に１枚の画像を表示する。このとき表示させる画像は、カーソルボタン２５ａ〜２５ｄの操作により選択しておくことができる。選択されている画像は、例えば、枠が強調表示され、選択対象であることがわかりやすくなっている。また、２５画面あるいは９画面表示しているときに、ＯＫボタン２５ｅが押されると、選択されている画像の１画面表示を行なう。
【００３８】
さらに、１枚の画像が表示された状態で、拡大ボタン２３ａが押されると、印刷装置１は、図７に示すように、表示された画像の拡大表示を行なう。拡大する比率は拡大ボタン２３ａの押される回数に応じて所定の倍率まで大きくなる。
【００３９】
一方、縮小ボタン２３ｂが押された場合は、拡大ボタン２３ａが押された場合とは逆の処理を行なう。すなわち、拡大画面が表示されている場合は１画面表示まで段階的に画像を縮小し、１画面表示の場合は９画面表示を行ない、９画面表示の場合には２５画面表示を行なう。
【００４０】
このように、本実施例では、複数画面の表示と１画面の拡大縮小とが拡大ボタン２３ａおよび縮小ボタン２３ｂの操作により連続して段階的に行なえるようになっており、ユーザの使い勝手が向上している。
【００４１】
１画面表示、９画面表示、２５画面のいずれの場合であっても、ある画像が選択されている状態で、枚数増ボタン２６ａが押されると、選択されている画像が印刷対象となり、図８（ａ）に示すように、印刷対象となっていることを示す印刷アイコンが画面上に表示される。本図の例では、左上の画像（１の画像）および中央下の画像（８の画像）に印刷アイコンが表示され、前者が１枚、後者が３枚印刷されることを示している。印刷枚数は、枚数増ボタン２６ａおよび枚数減ボタン２６ｂを操作することで調整することができる。また、印刷枚数が０枚の場合には、印刷アイコンは煩わしいので表示しないようにしている。
【００４２】
画面の下部には、現在表示している画面に関する説明が表示される。本図の例では、印刷枚数の設定および印刷開始を指示できる旨が表示されている。この説明は表示している画像の上に重ねて表示されるが、ユーザが説明の表示の望まない場合には、画面表示ボタン２２を押すことにより説明の表示を消すことができる。すなわち、印刷装置１は、画面表示ボタン２２が押されると、図８（ｂ）に示すように、画面に関する説明を非表示にする。
【００４３】
ただし、画面表示ボタン２２の操作による説明の表示／非表示にかかわらず、印刷対象となっている画像についての印刷アイコンは常に表示するようにする。どの画像が印刷対象になっているかはユーザにとって重要な情報だからである。また、再度画面表示ボタン２２が押されると、画面に関する説明を表示する。
【００４４】
印刷装置１は、印刷アイコンを表示している状態で印刷開始ボタン２７ａが押されると、印刷対象となっている画像の指定された枚数の印刷を実行する。
【００４５】
印刷の実行中には図９に示すような画面５００をテレビ受信装置等の表示装置に表示する。本画面５００には、印刷処理中の画像を縮小表示する欄５０１と、印刷枚数の合計数および残りの枚数を表示する欄５０２と、各インクカートリッジのインク残量を表示する欄５０３とが配置されており、画面に関する説明として印刷を中止するためには印刷中止ボタンを押す旨が表示されている。複数の画像を印刷する場合には、印刷処理中の画像を縮小表示する欄５０１は、それぞれの画像処理が終了する毎に現在処理中の画像の縮小表示に切り替えられる。
【００４６】
リモコン装置２に配置されているインク残量／無変換ボタン２８ａは、印刷装置１の状態により、インク残量の表示を指示する機能と、日本語変換の際に漢字変換を行なわない旨を指示する機能とが切り替わる。具体的には、印刷装置１で文字入力を行なっている場合には、インク残量／無変換ボタン２８ａの指示は、漢字変換を行なわない旨と印刷装置１に認識され、印刷装置１がその他の状態の場合は、インク残量の表示命令と印刷装置１に認識される。
【００４７】
印刷装置１は、インク残量の表示命令を認識した場合、すなわち、文字入力処理を行なっていない状態でインク残量／無変換ボタン２８ａが押されると、図１０に示すように、現在表示している画面５２０にかかわらず、印刷装置１に装着された各インクカートリッジのインク残量を表示する画面５２１を生成して表示する。インクカートリッジのインク残量を表示する画面５２１は、例えば、インク残量／無変換ボタン２８ａが押されている間だけ表示するようにする。
【００４８】
ユーザにとって印刷装置１に装着されたインクカートリッジのインク残量は重要な情報であるため、リモコン装置２のボタン操作により簡易にテレビ受信装置等の表示装置の画面に表示させることができるようになっている。
【００４９】
インク残量／無変換ボタン２８ａは、印刷装置１で文字入力処理を行なっている場合には、無変換ボタンとして機能する。印刷装置１における文字入力処理は、例えば、図１１に示すような画面上５４０で行なうことができる。
【００５０】
本画面５４０は、例えば、ある画像データについてテキスト等を付加する編集を行なう場合にメニュー操作により呼び出すことができる。本画面５４０には、日本語の編集を行なう編集欄５４１と、５０音等が配置された文字表示欄５４２と、編集機能等が表示された編集機能表示欄５４３が配置されている。
【００５１】
ユーザは、カーソルボタン２５ａ〜２５ｄを操作して文字表示欄５４２から入力したい文字を選択しＯＫボタン２５ｅを押すことで編集欄５４１に文字を入力することができる。そして、例えば、文節毎に編集機能表示欄５４３に表示された機能を選択してＯＫボタン２５ｅを押すことで、漢字変換を行なったり、無変換で確定したり、あるいは、スペースを挿入すること等ができる。
【００５２】
編集機能表示欄５４３に表示された機能に対応するボタンは、リモコン装置２にも設けられている。すなわち、ユーザは、リモコン装置２に設けられたインク残量／無変換ボタン２８ａ、変換ボタン２８ｂ、スペースボタン２８ｃ、消去ボタン２８ｄを操作することで、漢字変換を行なったり、無変換で確定したり、あるいは、スペースを挿入すること等ができる。
【００５３】
これらの編集機能は日本語処理において頻繁に使用されるため、容易に指定できるようにリモコン装置２にボタンを設けたものである。このとき、画面に表示される各編集機能とリモコン装置２に設けられた各ボタンは、同じ配列とすることでユーザの使い勝手を向上させている。なお、上述のように、無変換で確定することを指示するボタンは、インク残量／無変換ボタン２８ａとしてインク残量表示を指示するボタンと併用している。
【図面の簡単な説明】
【００５４】
【図１】印刷装置１の正面外観を示す図。
【図２】開閉蓋を開いた状態の印刷装置１の正面外観を示す図。
【図３】操作パネル１６の外観を示す図。
【図４】印刷装置１の機能構成の一例を示すブロック図。
【図５】印刷装置１に付属するリモコン装置２の外観を示す図。
【図６】テレビ受信装置に表示される画面の図。
【図７】画像の拡大縮小を示す図。
【図８】印刷アイコンを示す図。
【図９】印刷の実行中の表示画面を示す図。
【図１０】インク残量を表示する画面を示す図。
【図１１】日本語編集画面を示す図。
【符号の説明】
【００５５】
１…印刷装置、２…リモートコントロール装置、１１…開閉蓋、１２…開閉蓋、１３…開口機構、１４…コネクタ、１５…受信部、１６…操作パネル、１７…インクカートリッジ表示灯、１８…メモリカード挿入口、２１…電源ボタン、２２…画面表示ボタン、２３ａ…拡大ボタン、２３ｂ…縮小ボタン、２４ｂ…ボタン、２４ａ…メニューボタン、２５ａ…カーソルボタン、２５ａ…上方向ボタン、２５ｂ…右方向ボタン、２５ｃ…下方向ボタン、２５ｄ…左方向ボタン、２５ｅ…ＯＫボタン、２６ａ…枚数増ボタン、２６ｂ…枚数減ボタン、２７ａ…印刷開始ボタン、２７ｂ…印刷中止ボタン、２８ａ…インク残量／無変換ボタン、２８ｂ…変換ボタン、２８ｃ…スペースボタン、２８ｄ…消去ボタン、１１０…インタフェース部、１２０…制御部、１２０ａ…印刷処理部、１２０ｄ…日本語処理部、１２０ｃ…画像処理部、１２０ｂ…表示処理部、１３０…印刷機構部
【図１】
2005138347.tif 000003
【図２】
2005138347.tif 000004
【図３】
2005138347.tif 000005
【図４】
2005138347.tif 000006
【図５】
2005138347.tif 000007
【図６】
2005138347.tif 000008
【図７】
2005138347.tif 000009
【図８】
2005138347.tif 000010
【図９】
2005138347.tif 000011
【図１０】
2005138347.tif 000012
【図１１】
2005138347.tif 000013